【事件の表示】
　特願２０１０−２３８７６３「情報処理装置、情報処理方法、およびプログラム」拒絶査定不服審判事件〔平成２４年　５月１７日出願公開、特開２０１２−　９３８４４、請求項の数（６）〕について、次のとおり審決する。
【結　論】
　原査定を取り消す。
　本願の発明は、特許すべきものとする。
【理　由】
第１　手続の経緯　
　本願は、平成２２年１０月２５日の出願であって、平成２６年２月６日付けで拒絶理由が通知され、平成２６年４月１０日付けで手続補正がされ、平成２６年９月４日付けで拒絶査定がされ、これに対し、平成２６年１１月２０日に拒絶査定不服審判が請求されたものである。
第２　本願発明
　本願の請求項１−６に係る発明は、平成２６年４月１０日付けの手続補正で補正された特許請求の範囲の請求項１−６に記載された事項により特定される、以下のとおりのものである。
　　【請求項１】
平面図形の画像である平面オブジェクトの形状を指定する情報である形状情報が格納される形状情報格納部と、
階層化された複数のデータで構成される階層構造データが格納される階層構造データ格納部と、
前記階層構造データ格納部から一の階層の１以上のデータを配置用データとして取得する配置用データ取得部と、
前記形状情報が示す平面オブジェクトの表面に、当該平面オブジェクトについて前記配置用データ取得部が取得した配置用データを配置した平面オブジェクトの画像情報を出力する出力部と、
前記平面オブジェクトについて、表面に配置される配置用データを変更する指示である出力変更指示を受け付ける出力変更指示受付部と、を備え、
前記配置用データ取得部は、前記出力変更指示受付部が受け付けた出力変更指示に応じて、前記出力部が出力する平面オブジェクトに配置された１以上の配置用データの従属先となる上位階層のノードと同じ階層の異なるノードに従属する１以上のデータを配置用データとして前記階層構造データから取得し、
前記出力部は、前記配置用データ取得部が前記出力変更指示に応じて取得した配置用データを配置した平面オブジェクトの画像情報で出力を更新する情報処理装置。
　　【請求項２】
平面図形の画像である平面オブジェクトの形状を指定する情報である形状情報が格納される形状情報格納部と、
階層化された複数のデータで構成される階層構造データが格納される階層構造データ格納部と、
前記階層構造データ格納部から一の階層の１以上のデータを配置用データとして取得する配置用データ取得部と、
前記形状情報が示す平面オブジェクトの表面に、当該平面オブジェクトについて前記配置用データ取得部が取得した配置用データを配置した平面オブジェクトの画像情報を出力する出力部と、
前記平面オブジェクトについて、表面に配置される配置用データを変更する指示である出力変更指示を受け付ける出力変更指示受付部と、
前記出力部が出力した画像情報が示す平面オブジェクトに配置された前記１以上の配置用データのうちの一の配置用データに対する指定を受け付ける指定受付部と、を備え、
前記出力変更指示受付部は、異なる出力変更指示である第一出力変更指示と、第二出力変更指示とを受け付け得るものであり、
前記配置用データ取得部は、
前記出力変更指示受付部が第一出力変更指示を受け付けた場合に、前記指定受付部が受け付けた指定により指定される配置用データに対して従属する下位階層の１以上のデータを配置用データとして前記階層構造データから取得し、
前記出力変更指示受付部が第二出力変更指示を受け付けた場合に、前記平面オブジェクトに配置された１以上の配置用データの従属先となる上位階層のノードと同じ階層の異なるノードに従属する１以上のデータを配置用データとして前記階層構造データから取得し、
前記出力部は、前記配置用データ取得部が前記出力変更指示に応じて取得した配置用データを配置した平面オブジェクトの画像情報で出力を更新する情報処理装置。
　　【請求項３】
平面図形の画像である平面オブジェクトの形状を指定する情報である形状情報が格納される形状情報格納部と、階層化された複数のデータで構成される階層構造データが格納される階層構造データ格納部と、配置用データ取得部と、出力部と、出力変更指示受付部とを用いて行われる情報処理方法であって、
前記配置用データ取得部が、前記階層構造データ格納部から一の階層の１以上のデータを配置用データとして取得する配置用データ取得ステップと、
前記出力部が、前記形状情報が示す平面オブジェクトの表面に、当該平面オブジェクトについて前記配置用データ取得ステップにより取得した配置用データを配置した平面オブジェクトの画像情報を出力する出力ステップと、
前記出力変更指示受付部が、前記平面オブジェクトについて、表面に配置される配置用データを変更する指示である出力変更指示を受け付ける出力変更指示受付ステップと、を備え、
前記配置用データ取得ステップは、前記出力変更指示受付ステップにより受け付けた出力変更指示に応じて、前記出力ステップにより出力する平面オブジェクトに配置された１以上の配置用データの従属先となる上位階層のノードと同じ階層の異なるノードに従属する１以上のデータを配置用データとして前記階層構造データから取得し、
前記出力ステップは、前記配置用データ取得ステップにより前記出力変更指示に応じて取得した配置用データを配置した平面オブジェクトの画像情報で出力を更新する情報処理方法。
　　【請求項４】
平面図形の画像である平面オブジェクトの形状を指定する情報である形状情報が格納される形状情報格納部と、階層化された複数のデータで構成される階層構造データが格納される階層構造データ格納部と、配置用データ取得部と、出力部と、出力変更指示受付部と、
指定受付部とを用いて行われる情報処理方法であって、
前記配置用データ取得部が、前記階層構造データ格納部から一の階層の１以上のデータを配置用データとして取得する配置用データ取得ステップと、
前記出力部が、前記形状情報が示す平面オブジェクトの表面に、当該平面オブジェクトについて前記配置用データ取得ステップにより取得した配置用データを配置した平面オブジェクトの画像情報を出力する出力ステップと、
前記出力変更指示受付部が、前記平面オブジェクトについて、表面に配置される配置用データを変更する指示である出力変更指示を受け付ける出力変更指示受付ステップと、
前記指定受付部が、前記出力ステップにより出力した画像情報が示す平面オブジェクトに配置された前記１以上の配置用データのうちの一の配置用データに対する指定を受け付ける指定受付ステップと、を備え、
前記配置用データ取得ステップは、
前記出力変更指示受付ステップにより第一出力変更指示を受け付けた場合に、前記指定受付ステップにより受け付けた指定により指定される配置用データに対して従属する下位階層の１以上のデータを配置用データとして前記階層構造データから取得し、
前記出力変更指示受付ステップにより第二出力変更指示を受け付けた場合に、前記平面オ
ブジェクトに配置された１以上の配置用データの従属先となる上位階層のノードと同じ階層の異なるノードに従属する１以上のデータを配置用データとして前記階層構造データから取得し、
前記出力ステップは、前記配置用データ取得ステップにより前記出力変更指示に応じて取得した配置用データを配置した平面オブジェクトの画像情報で出力を更新する情報処理方法。
　　【請求項５】
平面図形の画像である平面オブジェクトの形状を指定する情報である形状情報が格納される形状情報格納部と、階層化された複数のデータで構成される階層構造データが格納される階層構造データ格納部とにアクセス可能なコンピュータを、
前記階層構造データ格納部から一の階層の１以上のデータを配置用データとして取得する配置用データ取得部と、
前記形状情報が示す平面オブジェクトの表面に、当該平面オブジェクトについて前記配置用データ取得部が取得した配置用データを配置した平面オブジェクトの画像情報を出力する出力部と、
前記平面オブジェクトについて、表面に配置される配置用データを変更する指示である出力変更指示を受け付ける出力変更指示受付部と、して機能させるプログラムであって、
前記配置用データ取得部は、前記出力変更指示受付部が受け付けた出力変更指示に応じて、前記出力部が出力する平面オブジェクトに配置された１以上の配置用データの従属先となる上位階層のノードと同じ階層の異なるノードに従属する１以上のデータを配置用データとして前記階層構造データから取得し、
前記出力部は、前記配置用データ取得部が前記出力変更指示に応じて取得した配置用データを配置した平面オブジェクトの画像情報で出力を更新するプログラム。
　　【請求項６】
平面図形の画像である平面オブジェクトの形状を指定する情報である形状情報が格納される形状情報格納部と、階層化された複数のデータで構成される階層構造データが格納される階層構造データ格納部とにアクセス可能なコンピュータを、
前記階層構造データ格納部から一の階層の１以上のデータを配置用データとして取得する配置用データ取得部と、
前記形状情報が示す平面オブジェクトの表面に、当該平面オブジェクトについて前記配置用データ取得部が取得した配置用データを配置した平面オブジェクトの画像情報を出力する出力部と、
前記平面オブジェクトについて、表面に配置される配置用データを変更する指示である出力変更指示を受け付ける出力変更指示受付部と、
前記出力部が出力した画像情報が示す平面オブジェクトに配置された前記１以上の配置用データのうちの一の配置用データに対する指定を受け付ける指定受付部と、して機能させるプログラムであって、
前記配置用データ取得部は、
前記出力変更指示受付部が第一出力変更指示を受け付けた場合に、前記指定受付部が受け付けた指定により指定される配置用データに対して従属する下位階層の１以上のデータを配置用データとして前記階層構造データから取得し、
前記出力変更指示受付部が第二出力変更指示を受け付けた場合に、前記平面オブジェクトに配置された１以上の配置用データの従属先となる上位階層のノードと同じ階層の異なるノードに従属する１以上のデータを配置用データとして前記階層構造データから取得し、
前記出力部は、前記配置用データ取得部が前記出力変更指示に応じて取得した配置用データを配置した平面オブジェクトの画像情報で出力を更新するプログラム。
第３　原査定の理由の概要
　原査定の理由の概要は、次のとおりである。
「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項：　　１〜７
・引用文献：　１〜３
・備考：
　引用文献１には、
　階層化された複数の階層のデータ（データ）で構成される階層管理データ１１０（階層構造データ）が格納される記憶媒体１０５（階層構造データ格納部）と（１１段落、図４）、
　記憶媒体１０５（階層構造データ格納部）から一の階層の１以上の階層のデータ（データ）をリスト項目（配置用データ）として取得する展開リスト管理手段１０６（配置用データ取得部）と（１１段落）、
　リストが表示される画面領域（平面オブジェクトの表面）に、画面領域（平面オブジェクト）について展開リスト管理手段１０６（配置用データ取得部）が取得したリスト項目（配置用データ）を配置した画面領域（平面オブジェクト）の情報（画像情報）を出力するリスト表示手段１０７（出力部）と（１１段落）、
　画面領域（平面オブジェクト）について、画面領域（表面）に表示（配置）されるリスト項目（配置用データ）を変更する指示である移動要求（出力変更指示）を受け付ける手段（出力変更指示受付部）と（９，１４，１６段落）、を備え、
　展開リスト管理手段１０６（配置用データ取得部）は、リスト表示手段１０７（出力部）が出力した情報（画像情報）に配置されたリスト項目（配置用データ）のうちの１以上に対して、移動要求（出力変更指示）に応じた階層関係にある１以上の階層のデータ（データ）をリスト項目（配置用データ）として記憶媒体１０５（階層構造データ格納部）から取得し（１５，２１，３１段落、図６）、
　リスト表示手段１０７（出力部）は、展開リスト管理手段１０６（配置用データ取得部）の移動要求（出力変更指示）に応じて取得したリスト項目（配置用データ）を配置したリストが表示される画面領域（平面オブジェクト）の情報（画像情報）で出力を更新するユーザインタフェース装置（情報処理装置）（１１段落等）が開示されている。
　本願発明と引用文献１に開示される発明とを対比すると、以下の点で相違している。
（１）平面のオブジェクトである平面オブジェクトの形状を指定する情報である形状情報が格納される形状情報格納部が開示されていない点
（２）階層構造データは、ＸＭＬデータであることが開示されていない点（請求項５）
　上記相違点について検討する。
・相違点（１）（２）について
　引用文献２の２１段落、引用文献３の３５段落には、平面オブジェクトを含む立体オブジェクト形状情報を格納する格納部が開示されている。
　また、引用文献２の図６や引用文献３の１２７段落、１４５段落および図２３には、ＸＭＬからなる階層構造データが開示されている。
　そして、引用文献１も、引用文献２または３も、ともに、所定の表示領域またはオブジェクト面に階層化された情報を表示する発明であって、同一の技術分野に属し、インタフェースの操作性を高める点で共通の課題および機能・作用を有しているものであるから、引用文献１を前提として、引用文献２または３に接した当業者であれば、引用文献１に開示される発明に、引用文献２または３に開示される発明を適用することによって、本願発明のように構成することは、当業者が容易に想到し得ることであると判断される。
　　　　　　　　　　　引　用　文　献　等　一　覧
１.特開２００９−２５９１６３号公報
２.特開２０１０−０３３１８４号公報
３.特開２００９−１８７１１３号公報
　出願人は、平成２６年４月１０日付の手続補正書にて補正を行ない、同日付けの意見書にて、以下の点を主張している。
　本願の請求項１にかかる発明の特徴的な発明特定事項は、「配置用データ取得部は、前記出力変更指示受付部が受け付けた出力変更指示に応じて、前記出力部が出力する平面オブジェクトに配置された１以上の配置用データの従属先となる上位階層のノードと同じ階層の異なるノードに従属する１以上のデータを配置用データとして前記階層構造データから取得」する点、及び「出力部は、前記配置用データ取得部が前記出力変更指示に応じて取得した配置用データを配置した平面オブジェクトの画像情報で出力を更新する」点にあります。
　かかる発明特定事項により、ノード間を接続するリンクを一つずつ辿って、同じ階層の異なるノードに従属するデータを探し出し、これを出力するための操作を行わなくても、平面オブジェクトについて出力変更指示を与えるだけで、容易かつ直感的に、同じ階層の異なるノードに従属するデータを表示できるという格別な効果を奏するものであります。
　・・・（略）・・・
　引用文献１には、表示されているデータに対して、ドラッグ操作に応じた階層数だけ上位の階層（または下位の階層）となるデータを取得して表示することしか開示されておらず、本願発明のように、出力変更指示に応じて、平面オブジェクトに配置された１以上のデータの従属先となるノードと同じ階層の異なるノードに従属する１以上のデータを取得し、取得したデータを配置した平面オブジェクトの画像情報で出力を更新することについては何らの開示も示唆もされておりません。
　また、引用文献１には、一度のドラッグ指示に応じて、表示されているデータに対して直系となる階層関係のデータ以外のデータを取得して出力する構成についてさえ、何らの開示も示唆もされておりません。
　従って、このような引用文献１に基づき、本願発明のように、平面オブジェクトについて出力変更指示を与えるだけで、現在表示されているデータの従属先となる上位階層のノードと同じ階層の異なるノードに従属するデータを取得して、容易かつ直感的に表示できるという顕著な効果を奏するものを得ることは、当業者といえども決して容易に想到するものではありません。
　この点について、以下のように判断する。
　引用文献１では、図５の５０２に示すように、リスト項目をスクロールして表示することが示されており、２３段落及び図４から明らかなように、Ｓｏｎｇ１１８のリスト項目の表示枠の下に、Ｓｏｎｇ１２１以下のリスト項目の表示枠が表示されている。ここでは、リスト項目の表示枠（平面オブジェクト）に配置されたＳｏｎｇ１１８（配置用データ）の上の階層２のリスト項目であるＣａｔ１１（従属先となる上位階層のノード）と同じ階層の異なるノードであるＣａｔ１２に従属する１以上のデータであるＳｏｎｇ１２１以下のリスト項目を、表示すべきリストとして、スクロール可能なように表示処理している。このように、木構造データから、同階層のデータを適宜表示させるようにすることは、ごく当たり前に行われるようなことにすぎない。
　なお、出力変更指示の度に順次表示を切り替えるようにすることは、必要に応じて行い得る設計事項であって、格別の創意工夫を要するものではない。
　以上の理由により、出願人の主張を受け入れることができない。」
第４　当審の判断
　本願の【請求項１】−【請求項６】記載の発明をそれぞれ、「本願発明１」−「本願発明６」と称する。
１．本願発明１について
（１）引用発明
　原査定で引用された引用文献１（特開２００９−２５９１６３号公報）には、次の記載がある（下線は、本審決で特に着目した箇所を示す。）。
「【発明の詳細な説明】
【技術分野】
【０００１】
  この発明は、カーナビゲーションシステムや携帯音楽プレーヤ等の電子機器におけるコンテンツ検索のためのユーザインタフェース装置及びプログラムに関するものである。
【背景技術】
【０００２】
  従来の電子機器におけるユーザインタフェース装置として、例えば、内蔵記録媒体に記録された音楽ファイル等のコンテンツを分類し、更にその分類を階層化することで、一分類あたりに含まれるコンテンツの数を、電子機器のユーザインタフェースでのリスト表示が可能な程度の数に抑えることにより、検索性を確保するようにしたものがあった（例えば、特許文献１参照）。
  また、単一のリストが長い場合の検索性の向上策として、ユーザがスクロールの速さを指定可能な自動スクロール方式があった（例えば、特許文献２参照）。
【０００３】
【特許文献１】米国特許第６９２８４３３号明細書
【特許文献２】特開２００２−３２１７０号公報
【発明の開示】
【発明が解決しようとする課題】
【０００４】
  しかしながら、上記従来のコンテンツ検索のためのユーザインタフェースにおいては、コンテンツの数が更に増えた場合、一分類あたりのコンテンツ数を抑えるために階層数を増加させることになる。その結果、階層間の移動のための操作回数が増加し、分類をまたいだコンテンツの検索性が悪化するという問題があった。
【０００５】
  この発明は上記のような課題を解決するためになされたもので、大量のコンテンツから少ない操作回数で素早くコンテンツを検索することのできるユーザインタフェース装置及びプログラムを得ることを目的とする。
【課題を解決するための手段】
【０００６】
  この発明に係るユーザインタフェース装置は、入力機器へのドラッグ操作の方向と速さに基づき、リストのスクロール方向とスクロール速度を表すスクロール操作情報と、リストのどの階層を表示するかを表す表示階層操作情報を生成する操作情報生成手段と、スクロール操作情報に基づいて、リストのスクロール制御を行う自動スクロール制御手段と、表示階層操作情報に基づいて、リストの表示階層を決定する表示階層管理手段と、表示階層管理手段で決定された階層のリストを画面上に表示すると共に、自動スクロール制御手段による制御に基づいて表示されている階層のリストをスクロールさせるリスト表示手段とを備えたものである。
【発明の効果】
【０００７】
  この発明のユーザインタフェース装置は、ドラッグ操作の方向と速さに基づき、リストのスクロール方向およびスクロール速度と、リストの表示階層とを決定するようにしたので、大量のコンテンツから少ない操作回数で素早くコンテンツを検索することができる。
【発明を実施するための最良の形態】
【０００８】
実施の形態１．
  図１は、この発明の実施の形態１によるユーザインタフェース装置を示す構成図である。
  図において、ユーザインタフェース装置は、タッチパネル１０１、操作情報生成手段１０２、自動スクロール制御手段１０３、表示階層管理手段１０４、記録媒体１０５、展開リスト管理手段１０６、リスト表示手段１０７、ディスプレイ１０８を備えている。また、記録媒体１０５には、コンテンツデータ１０９と階層管理データ１１０が格納されている。
【０００９】
  
タッチパネル１０１は、ディスプレイ１０８の上面に設けられ、本装置のユーザが操作する入力機器であり、ユーザが表面を指やペンでタッチまたはドラッグすることにより、その押下位置を表す信号を送出する。操作情報生成手段１０２は、タッチパネル１０１からの信号を受け取り、タッチパネル１０１へのユーザの操作に応じて、スクロール操作情報および表示階層操作情報を生成し出力する。ドラッグ操作の場合は、画面表示されるリスト（これについては後述する）のスクロール方向と平行する座標軸におけるドラッグ操作の速度成分から、自動スクロールの速さと方向を計算し、その結果をスクロール操作情報として自動スクロール制御手段１０３に出力する。
【００１０】
  
自動スクロール制御手段１０３は、操作情報生成手段１０２が生成したスクロール操作情報に基づきリストの自動スクロールの方向と速さを設定し、リストの自動スクロールを開始する制御をする。
  表示階層管理手段１０４は、操作情報生成手段１０２が生成した表示階層操作情報と現在の表示階層から新たな表示階層を決定し、新たな表示階層への移動をリスト表示手段１０７に要求する。
【００１１】
  
記録媒体１０５は、コンテンツデータ１０９および階層管理データ１１０を記録する。
  
展開リスト管理手段１０６は、指定された表示階層に属する全てのコンテンツまたは分類の名称を、記録媒体１０５に記録されたコンテンツデータ１０９および階層管理データ１１０から取得し、取得した順に結合して単一のリストを生成し、リスト表示手段１０７に提供する。
  
リスト表示手段１０７は、表示階層の展開リストを展開リスト管理手段１０６から取得し、リスト内画面表示位置から画面に表示するリスト項目を決定し、リストを表示する
  ディスプレイ１０８はリスト表示手段１０７が表示したリストを物理的に可視化し、ユーザに提示する。
【００１２】
  記録媒体１０５に格納されるコンテンツデータ１０９は、音楽や写真、動画像等のデータであり、コンテンツ名の情報を含む。また、階層管理データ１１０は、コンテンツデータの分類と、分類間の階層関係のデータであり、分類名の情報を含む。
・・・（中略）・・・
【００２３】
  次に、実際にデータの例を挙げて展開リストの表示について説明する。
  図４は、コンテンツデータとその階層構造の例を示した図である。
  階層０はツリー構造におけるルートノードであり、ユーザインタフェース画面には表示されない。階層１にはこの例では９個の分類があり、名前はそれぞれ”Ｃａｔ１”から”Ｃａｔ９”である。階層２にも分類があり、名前は”Ｃａｔ１１”から”Ｃａｔ１８”、”Ｃａｔ２１”から”Ｃａｔ２４”、”Ｃａｔ９１”から”Ｃａｔ９８”等である。階層３にはコンテンツがあり、名前は”Ｓｏｎｇ１１１”から”Ｓｏｎｇ１１８”、”Ｓｏｎｇ１２１”、”Ｓｏｎｇ１２２”、”Ｓｏｎｇ１２３”、”Ｓｏｎｇ１８１”、”Ｓｏｎｇ１８２”、”Ｓｏｎｇ２１１”から”Ｓｏｎｇ２１７”等である。
【００２４】
  図５は、一画面に４個の項目を表示するリストの画面例である。画面５０１は、表示階層は図４で示した階層１であり、階層１に含まれる９個の分類のうち、４個の分類がリスト項目として表示されている。画面５０２は、画面５０１と同じリスト画面例において、表示階層を階層３とした場合の表示例である。階層３に含まれるコンテンツのうち、”Ｓｏｎｇ１１７”から連続する４個のコンテンツがリスト項目として表示されている。
【００２５】
  図６は、自動スクロール実行中の画面変化の例を示した図である。画面６０１で左上から右下にドラッグすると、１階層の下降と負方向の自動スクロールが行われる。即ち、上述した図２（ａ），（ｂ）のフローチャートに示した表示階層移動処理と自動スクロール処理が行われる。このとき階層移動の基準となるリスト項目は”Ｃａｔ２１”である。画面６０２は１階層の下降が行われた状態である。”Ｃａｔ２１”に含まれるコンテンツのうち先頭のコンテンツが新たに基準リスト項目の位置に表示される。画面６０３は画面６０２から１項目分の自動スクロールが行われた状態である。画面６０４は画面６０３から１項目分の自動スクロールが行われた状態である。ここで右から左にドラッグすると、１階層の上昇が行われる。このとき階層移動の基準は”Ｓｏｎｇ１８１”である。即ち、このドラッグ操作は、ｌｅｖｅｌが負の数であるため階層を昇る方向への移動であり、また、Ｙ軸方向への移動量が０であるため、自動スクロール速度の変更はなく、それまでのスクロール速度を継続する。
【００２６】
  画面６０５は１階層の上昇が行われた状態である。”Ｓｏｎｇ１８１”を含む分類”Ｃａｔ１８”が新たに基準リスト項目の位置に表示される。画面６０６は画面６０５から１項目分の自動スクロールが行われた状態である。画面６０７は画面６０６から１項目分の自動スクロールが行われた状態である。ここで画面をタッチすると、自動スクロールが停止する。画面６０８は自動スクロールが停止した状態である。」
　そして、引用文献１の上記記載事項を引用文献１の関連図面と技術常識に照らし、下線部分に着目すれば、引用文献１には、次の発明（以下、「引用発明」という。）が記載されているといえる。
「コンテンツデータ１０９と階層管理データ１１０を記録する記録媒体１０５と、
指定された表示階層に属する全てのコンテンツまたは分類の名称を、記録媒体１０５に記録されたコンテンツデータ１０９および階層管理データ１１０から取得し、取得した順に結合して単一のリストを生成し、リスト表示手段１０７に提供する展開リスト管理手段１０６と、
前記展開リスト管理手段１０６が生成した単一のリストから画面に表示するリスト項目を決定し、そのリスト項目をディスプレイ１０８に表示する表示手段１０７と、
前記画面に表示するリスト項目を変更する指示であるドラッグ操作を受け付けるタッチパネルと、を備え、
前記表示手段１０７は、前記ドラッグ操作に応じたスクロール操作情報に従って画面に表示するリスト項目をスクロールするユーザインターフェース装置。」
（２）対比
　本願発明１と引用発明を対比すると、次のことがいえる。
ア．引用発明の「コンテンツデータ１０９と階層管理データ１１０」は、本願発明１の「階層化された複数のデータで構成される階層構造データ」に相当し、引用発明の「記録媒体１０５」は、本願発明１の「階層構造データ格納部」に相当する。
イ．引用発明の「指定された表示階層に属する全てのコンテンツまたは分類の名称」は、本願発明１の「一の階層の１以上のデータ」に相当し、引用発明の「展開リスト管理手段１０６」と本願発明１の「配置用データ取得部」とは、「一の階層の１以上のデータを取得するデータ取得部」といい得る部分である点で共通する。
ウ．引用発明の「画面に表示するリスト項目」と本願発明１の「配置用データを配置した平面オブジェクトの画像情報」は、出力対象の「データ」である点で共通し、引用発明の「表示手段１０７」と本願発明１の「出力部」とは、「データを出力する出力部」といい得る部分である点で共通する。
エ．引用発明の「ドラッグ操作」は、本願発明１の「平面オブジェクトについて、表面に配置される配置用データを変更する指示である出力変更指示」と、「出力変更指示」といい得るものである点で共通し、引用発明の「タッチパネル」は本願発明１の「出力変更指示受付部」と、「出力変更指示受付部」といい得るものである点で共通する。
オ．引用発明の「表示手段１０７」が「ドラッグ操作に応じたスクロール操作情報に従ってリスト項目をスクロール」することは、本願発明の「出力部」が「出力を更新」することと、「出力部」が「出力変更指示に応じて出力を更新」することである点で共通する。
カ．引用発明の「ユーザインターフェース装置」は、本願発明の「情報処理装置」と同様に、「情報処理装置」ともいい得る。
　したがって、本願発明１と引用発明の間には、次の一致点、相違点があるといえる。
（一致点）
「階層化された複数のデータで構成される階層構造データが格納される階層構造データ格納部と、
前記階層構造データ格納部から一の階層の１以上のデータを取得するデータ取得部と、
前記データ取得部が取得したデータを出力する出力部と、
前記データを変更する指示である出力変更指示を受け付ける出力変更指示受付部と、を備え、
前記出力部は、前記出力変更指示に応じて出力を更新する情報処理装置。」
である点。
（相違点１）
　本願発明１は、「平面図形の画像である平面オブジェクトの形状を指定する情報である形状情報が格納される形状情報格納部」を有するのに対し、引用発明は、それに相当する構成を有するものではない点。
（相違点２）
　本願発明１の「データ取得部」は、階層構造データ格納部から一の階層の１以上のデータを「配置用データ」として取得するものであるのに対し、引用発明の「データ取得部」（展開リスト管理手段１０６）は、データを「配置用データ」として取得するものではない点。
（相違点３）
　本願発明１の「出力部」は、「形状情報が示す平面オブジェクトの表面に、当該平面オブジェクトについて配置用データ取得部が取得した配置用データを配置した平面オブジェクトの画像情報」を出力するものであるのに対し、引用発明の「出力部」（表示手段１０７）は、そのような画像情報を出力するものではない点。
（相違点４）
　本願発明１の「出力変更指示受付部」は、「平面オブジェクトについて、表面に配置される配置用データを変更する指示である出力変更指示」を受け付けるものであるのに対し、引用発明の「出力変更指示受付部」（タッチパネル）は、そのようなものではない点。
（相違点５）
　本願発明１の「データ取得部」は、「出力変更指示受付部が受け付けた出力変更指示に応じて」、「出力部が出力する平面オブジェクトに配置された１以上の配置用データの従属先となる上位階層のノードと同じ階層の異なるノードに従属する１以上のデータを配置用データとして」階層構造データから取得するものであるのに対し、引用発明の「データ取得部」（展開リスト管理手段１０６）は、そのようなものではない点。
（相違点６）
　本願発明１の「出力部」は、「配置用データ取得部が出力変更指示に応じて取得した配置用データを配置した平面オブジェクトの画像情報」で出力を更新するものであるのに対し、引用発明の「出力部」（表示手段１０７）は、そのような画像情報で出力を更新するものではない点。
（３）判断
　当審は、原査定で引用された引用文献２（特開２０１０−０３３１８４号公報）、引用文献３（特開２００９−１８７１１３号公報）の記載を考慮しても、引用発明において上記相違点１〜６を克服することは、容易であったとはいえないと判断する。
　理由は次のとおりである。
（ア）本願発明１でいう「平面オブジェクト」は「平面図形の画像」であり、本願発明１は、「『形状情報格納部に格納された平面図形の画像の形状情報が示す平面オブジェクト』の表面に『一の階層の１以上のデータ』を配置した画像情報」を出力するようにすべく、相違点１〜６に係る各本願発明１の構成を採用したものと認められる。
（イ）一方、引用文献１自体には、そのような画像情報を出力するようにすることを示唆する記載はない。
（ウ）原査定で引用された引用文献２の２１段落と、引用文献３の３５段落には、「立体オブジェクト」の形状情報を格納する格納部を設けることは記載されているが、そこでいう「立体オブジェクト」は、「平面図形の画像」ではないし、「一の階層の１以上のデータ」が配置されるものでもない。
　そして、引用文献２、３には、そのいずれにも、引用発明を「『形状情報格納部に格納された平面図形の画像の形状情報が示す平面オブジェクト』の表面に『一の階層の１以上のデータ』を配置した画像情報」を出力する」ように改変することについての示唆があるとはいえない。
（エ）ほかに、引用発明において上記相違点１〜６を克服することが容易であったといえる根拠は見当たらない。
　よって、引用発明において上記相違点１〜６を克服することは、容易であったとはいえない。
（４）むすび
　以上のとおりであるから、本願発明１は、引用文献１〜３に記載された発明に基づいて当業者が容易に発明をすることができたものとはいえない。
　
２．本願発明２〜６について
（１）本願発明３、５について
　本願発明３、５は、本願発明１を、方法、プログラムの観点から表現し直したに過ぎないものであり、本願発明１の要件の全てをを実質的に具備するものであるから、本願発明１と同様に、引用文献１〜３に記載された発明に基づいて当業者が容易に発明をすることができたものとはいえない。　
（２）本願発明２、４、６について
　本願発明２、４、６は、それぞれ、本願発明１、３、５が具備する要件の全てを具備した上で、更なる要件（二種類の出力変更指示に対応するための要件）を具備するものであるから、本願発明１、３、５と同様に、引用文献１〜３に記載された発明に基づいて当業者が容易に発明をすることができたものとはいえない。
第５　むすび
　以上のとおり、本願発明１〜６は、当業者が引用文献１〜３に記載された発明に基づいて容易に発明をすることができたものではないから、原査定の理由によっては、本願を拒絶することはできない。
　また、ほかに本願を拒絶すべき理由を発見しない。
　よって、結論のとおり審決する。